(57)【要約】  使い勝手のよい映像表示装置および端末装置を提供する。  映像コンテンツを表示する表示部と、端末装置により送信されたコマンドを受信する受信部と、前記受信部により受信されたコマンドに応じた処理を実行する制御部と、を備え、前記制御部は、特定の端末装置からの第１のコマンドを受信した際には当該第１のコマンドに応じた処理を実行する一方、他の端末装置からの第１のコマンドを受信した際には当該第１のコマンドに応じた処理を実行せず、前記特定の端末装置からの第２のコマンドを受信した際、あるいは、前記他の端末装置からの第２のコマンドを受信した際、当該第２のコマンドに応じた処理を実行する。
2014041672.tif 000002
【特許請求の範囲】
【請求項１】
映像コンテンツを表示する表示部と、
端末装置により送信されたコマンドを受信する受信部と、
前記受信部により受信されたコマンドに応じた処理を実行する制御部と、を備え、
前記制御部は、
特定の端末装置からの第１のコマンドを受信した際には当該第１のコマンドに応じた処理を実行する一方、他の端末装置からの第１のコマンドを受信した際には当該第１のコマンドに応じた処理を実行せず、
前記特定の端末装置からの第２のコマンドを受信した際、あるいは、前記他の端末装置からの第２のコマンドを受信した際、当該第２のコマンドに応じた処理を実行すること、を特徴とする映像表示装置。
【請求項２】
請求項１に記載の映像表示装置において、
前記制御部は、
前記特定の端末装置からの第１のコマンドを受信して所定数の映像コンテンツを表示した後に前記他の端末装置からの第１のコマンドを受信したら、当該第１のコマンドに応じた処理を実行すること、を特徴とする映像表示装置。
【請求項３】
請求項１に記載の映像表示装置において、
前記制御部は、
前記特定の端末装置からの第１のコマンドを受信して所定の時間映像コンテンツを表示した後に前記他の端末装置からの第１のコマンドを受信したら、当該第１のコマンドに応じた処理を実行すること、を特徴とする映像表示装置。
【請求項４】
請求項１に記載の映像表示装置において、
前記特定の端末装置と前記他の端末装置との間の優先順位を時間毎または曜日毎に記憶する記憶部を備え、
前記制御部は、
前記記憶部により記憶された優先順位に基づき、前記特定の端末装置からの第１のコマンドに応じた処理を実行するか否かを決定すること、を特徴とする映像表示装置。
【請求項５】
請求項１に記載の映像表示装置において、
前記制御部は、
前記他の端末装置からの第１のコマンドを受信した際には、所定の映像コンテンツを記録媒体に記録すること、を特徴とする映像表示装置。
【請求項６】
請求項５に記載の映像表示装置において、
前記制御部は、
録画モードが設定されている間に前記他の端末装置からの第１のコマンドを受信した際には、前記所定の映像コンテンツを記録媒体に記録すること、を特徴とする映像表示装置。
【請求項７】
請求項１に記載の映像表示装置において、
前記制御部は、
通常モードにおいて前記他の端末装置からの第１のコマンドを受信した際には、当該第１のコマンドに応じた処理を実行しない一方、
緊急モードにおいて前記他の端末装置からの第１のコマンドを受信した際には、当該第１のコマンドに応じた処理を実行すること、を特徴とする映像表示装置。
【請求項８】
請求項７に記載の映像表示装置において、
緊急災害に関する情報を受信した場合に緊急モードに移行すること、を特徴とする映像表示装置。
【請求項９】
請求項１に記載の映像表示装置において、
前記特定の端末装置は、電源に関するコマンドを送信した端末装置であること、を特徴とする映像表示装置。
【請求項１０】
請求項１〜９の何れかに記載の映像表示装置において、
ユーザの操作に基づいて、特定のコマンドを第１のコマンドとするか第２のコマンドとするかを指定する指定部を備えること、を特徴とする映像表示装置。
【請求項１１】
請求項１〜９の何れかに記載の映像表示装置において、
第１のコマンドはチャンネルの切り替えに関するコマンドであること、を特徴とする映像表示装置。
【請求項１２】
請求項１〜９の何れかに記載の映像表示装置において、
第２のコマンドは視聴の予約あるいは録画の予約に関するコマンドであること、を特徴とする映像表示装置。
【請求項１３】
映像表示装置のリモート制御機能を有する端末装置において、
前記映像表示装置の設定に関するコマンドを送信する送信部と、
前記送信部により送信されたコマンドの内容を記憶する記憶部と、を備え、
前記送信部は、
前記映像表示装置に電源コマンドを送信する際、前記記憶部に記憶されたコマンドの内容を送信すること、を特徴とする端末装置。
【請求項１４】
請求項１３に記載の端末装置において、
緊急災害に関する情報を受信する受信部を備え、
前記送信部は、
前記受信部により緊急災害情報が受信されると、予め定めた緊急コードを前記映像表示装置に送信すること、を特徴とする端末装置。
【発明の詳細な説明】
【技術分野】
【０００１】
本発明は、映像表示装置および端末装置に関するものである。
【背景技術】
【０００２】
本技術分野の背景技術として、特開２００２−５１２３２号公報（特許文献１）がある。この公報には、課題として「複数の被制御装置の間での最適な動作設定を容易に実現可能とする。」と記載されている。【０００３】
この課題の解決手段として、「受信装置は、テレビジョン信号を受信する受信手段と、前記受信手段により受信されたテレビジョン信号を処理して画像信号を得る処理手段と、前記処理手段により得られた画像信号に係る画像を表示する表示手段と、リモートコントロール装置から送信される情報を受信すると共に前記リモートコントロール装置に対して情報を送信する送受信手段と、前記リモートコントロール装置より送信された電源オフコマンドに応じて前記送受信手段により装置の動作設定状態に関する設定情報を前記リモートコントロール装置に送信すると共に電源オフの処理を行う制御手段とを備える構成とした。」と記載されている。
【先行技術文献】
【特許文献】
【０００４】
【特許文献１】特開２００２−５１２３２号公報
【発明の概要】
【発明が解決しようとする課題】
【０００５】
前記特許文献１には、発明の効果として「装置の間で容易に任意の動作設定を行うことが可能となる。」と記載されており、単一のユーザが複数の映像表示装置を使用する場合に使い勝手がよい。しかし、複数のユーザが単一の映像表示装置を使用する場合、あるいは複数のユーザが複数の映像表示装置を使用する場合が考慮されていない。【０００６】
例えば、１台の映像表示装置（受信装置）に対して、複数のユーザが端末装置（リモートコントロール装置）を使って同時にチャンネルの変更を指示すると、映像表示装置の表示画面が頻繁に変わり視聴が困難になるという問題がある。【０００７】
そこで、本発明の目的は、使い勝手のよい映像表示装置および端末装置を提供することである。
【課題を解決するための手段】
【０００８】
上記課題を解決するために、例えば特許請求の範囲に記載の構成を採用する。本願は上記課題を解決する手段を複数含んでいるが、その一例を挙げるならば、映像コンテンツを表示する表示部と、端末装置により送信されたコマンドを受信する受信部と、前記受信部により受信されたコマンドに応じた処理を実行する制御部と、を備え、前記制御部は、特定の端末装置からの第１のコマンドを受信した際には当該第１のコマンドに応じた処理を実行する一方、他の端末装置からの第１のコマンドを受信した際には当該第１のコマンドに応じた処理を実行せず、前記特定の端末装置からの第２のコマンドを受信した際、あるいは、前記他の端末装置からの第２のコマンドを受信した際、当該第２のコマンドに応じた処理を実行すること、を特徴とする。
【発明の効果】
【０００９】
本発明によれば、使い勝手の良い映像表示装置および端末装置を提供することができる。【００１０】
上記した以外の課題、構成及び効果は、以下の実施形態の説明により明らかにされる。
【図面の簡単な説明】
【００１１】
【図１】第１の実施例の映像表示システムの構成を示す図。
【図２】第１の実施例の端末装置の構成を示すブロック図。
【図３】第１の実施例の映像表示装置の構成を示すブロック図。
【図４】第１の実施例の端末装置の動作を示すフローチャート。
【図５（ａ）】第１の実施例の端末装置の画面の表示例。
【図５（ｂ）】第１の実施例の端末装置の画面の表示例。
【図５（ｃ）】第１の実施例の端末装置の画面の表示例。
【図５（ｄ）】第１の実施例の端末装置の画面の表示例。
【図６】第１の実施例の映像表示装置の動作を示すフローチャート。
【図７】第２の実施例の映像表示装置の動作を示すフローチャート。
【図８】第３の実施例の映像表示装置の動作を示すフローチャート。
【図９】第４の実施例の映像表示装置の動作を示すフローチャート。
【図１０（ａ）】第４の実施例の端末装置の優先順位を示す例。
【図１０（ｂ）】第４の実施例の端末装置の優先順位を示す例。
【図１１】第５の実施例の映像表示装置の動作を示すフローチャート。
【図１２（ａ）】第５の実施例の端末装置の画面の表示例。
【図１２（ｂ）】第５の実施例の端末装置の画面の表示例。
【図１３】第６の実施例の端末装置の動作を示すフローチャート。
【図１４】第６の実施例の映像表示装置の動作を示すフローチャート。
【発明を実施するための形態】
【００１２】
以下、図面を用いて実施例を説明する。
【実施例１】
【００１３】
図１は、本発明の第１の実施例の映像表示システムを示す図である。本実施例の映像表示システムは、複数の端末装置１と映像表示装置３とを含む。【００１４】
端末装置１は無線通信機能を有しており、基地局４と各種情報の送受信を行うことができる。また、端末装置１は、離れた場所の映像表示装置３の制御（以降、「リモート制御」）を行う機能を有しており、ユーザは、端末装置１を用いて、映像表示装置３のチャンネルや音量などを操作することができる。【００１５】
映像表示装置３は映像コンテンツを受信して表示する装置であり、例えば、放送局５から無線あるいは有線でテレビジョン信号を受信して、当該テレビジョン信号に基づく映像コンテンツを表示することができる。また、映像表示装置３は無線ルータ６を介してネットワーク７から受信したインターネットコンテンツ等の映像コンテンツを表示することもできる。なお、映像表示装置３は１台に限るものではなく、複数台存在してもよい。【００１６】
基地局４は電話網と端末装置１とを中継する装置であり、端末装置１と各種情報の送受信を行うことができる。例えば、基地局４は映像表示装置３を視聴するためのテレビの番組表を端末装置１に送ることもできる。【００１７】
放送局５は、テレビビジョン信号を出力する装置である。【００１８】
無線ルータ６は、Ｗｉ−Ｆｉ（Ｗｉｒｅｌｅｓｓ  Ｆｉｄｅｌｉｔｙ）などの無線ＬＡＮ（Ｌｏｃａｌ  Ａｒｅａ  Ｎｅｔｗｏｒｋ）機能を備え、通信回線を経由してネットワーク７に接続できる。映像表示装置３は、無線ルータ６に接続することによりインターネット網から映像コンテンツや各種情報を入手することができる。尚、端末装置１にも、無線ＬＡＮ機能を備えさせ、インターネット網から各種情報を入手することができるようにしても良い。また、無線ルータ６と映像表示装置３を無線で接続した例を示したが、これらを有線で接続してもよい。【００１９】
図２は、図１の端末装置１の構成を示すブロック図である。【００２０】
端末装置１の各部の制御は制御部２０が行う。制御部２０はＣＰＵ（Ｃｅｎｔｒａｌ  Ｐｒｏｃｅｓｓｉｎｇ  Ｕｎｉｔ）あるいは、任意の制御回路や、ＡＳＩＣ等の専用回路により構成される。【００２１】
端末装置１の無線通信部２１はアンテナの他、符号化回路および復号化回路を含む通信回路等により構成されており、基地局４と通信を行い、各種情報を送受信する。【００２２】
表示部２２は例えば液晶パネルであり、各種情報を表示する。操作部２３は例えばタッチパッドであり、ユーザによる操作を受け付け、当該操作に基づく指示を制御部２０に伝える。液晶パネルとタッチパッドを組み合わせて一体化したものは一般にタッチパネルと呼ばれ、本実施例でもタッチパネルを使用した例を記載している。【００２３】
コマンド送信部２４は例えば赤外線やＷｉ−Ｆｉ、Ｗｉ−Ｆｉ  Ｄｉｒｅｃｔ、Ｂｌｕｅｔｏｏｔｈ（登録商標）などを使用して、映像表示装置３に制御コマンドを送信する。ステータス受信部２５は、同じくＷｉ−Ｆｉなどを使用して、映像表示装置３からステータス情報を受信する。制御コマンドとは、端末装置１が映像表示装置３のリモート制御を行うための情報であり、例えば、電源のオンとオフの切り替えを指示する電源コマンドや、特定のチャンネルや音量を指示する設定コマンドなどが含まれる。また、ステータス情報とは、リモート制御の可否を特定する情報であり、リモート制御をする権限の有無や、複数の端末装置１との間の優先順位などが含まれる。なお、映像表示装置３への制御コマンドの送信や、映像表示装置３からのステータス情報の受信は、無線ルータ６等を介して間接的に行ってもよい。また、コマンド送信部２４とステータス受信部２５とは別体であっても、一のハードウェアにより一体的に構成しても良い。【００２４】
尚、コマンド送信部２４は、制御コマンドを送信する際には端末装置１固有の識別コードも送信する。識別コードは、端末装置１に個別に付与されるＩＤや電話番号などが適用可能である。また、一般的には一人のユーザが一つの端末装置１を所有することが想定されるため、端末装置１の製造メーカ等によってユーザごとに与えられるユーザＩＤを適用しても良い。この場合、ユーザＩＤは、ユーザの操作等に基づいて端末装置１に事前に記憶される。【００２５】
記憶部２６は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュＲＯＭなどにより構成され、端末装置１を制御するためのプログラムや各種設定値などを格納する。【００２６】
図３は、図１の映像表示装置３の構成を示すブロック図である。【００２７】
映像表示装置３の各部の制御は制御部３０が行う。制御部３０はＣＰＵあるいは、任意の制御回路や、ＡＳＩＣ等の専用回路により構成される。【００２８】
テレビ信号受信部３１は復号化回路を含む通信回路等により構成されており、放送局５から出力されたテレビジョン信号を受信し、映像および音声を復号して表示部３２および音声出力部３３に送る。【００２９】
表示部３２は例えば液晶パネル、プラズマパネルや有機ＥＬ（ＥｌｅｃｔｒｏＬｕｍｉｎｅｓｃｅｎｃｅ）パネルなどによって構成されており、各種映像コンテンツ、および各種情報を表示する。音声出力部３３は例えばアンプとスピーカによって構成されており、各種音声を出力する。【００３０】
コマンド受信部３４は例えば赤外線やＷｉ−Ｆｉ、Ｗｉ−Ｆｉ  Ｄｉｒｅｃｔ、Ｂｌｕｅｔｏｏｔｈなどを使用して、端末装置１から制御コマンドと識別コードを受信し、端末装置１からの指示を制御部３０に伝える。ステータス送信部３５は、端末装置１にステータス情報を送信する。尚、コマンド受信部３４とステータス送信部３５とは別体であっても、一体であっても良い。【００３１】
記憶部３６は、ＲＯＭ、ＲＡＭやフラッシュＲＯＭなどにより構成され、映像表示装置３を制御するためのプログラムや各種設定情報、電源コマンドを送信した端末装置１の識別コード、各端末装置１の優先順位などを格納する。尚、ＨＤＤ（Ｈａｒｄ  Ｄｉｓｃ  Ｄｒｉｖｅ）やＢＤ（Ｂｌｕ−ｒａｙ  Ｄｉｓｃ）ドライブのようなストレージを備え、映像コンテンツを記憶してもよい。【００３２】
ＬＡＮ送受信部３７は有線あるいは無線で無線ルータ６と接続し、インターネット網などから映像コンテンツなどを受信することができる。【００３３】
図４は、映像表示装置３のリモート制御を行う際の端末装置１の動作を示すフローチャートである。【００３４】
尚、以下において、一の端末装置１と他の端末装置１とを区別する必要がある際、一方を端末装置１ａとし、他方を端末装置１ｂとして表記する場合がある。【００３５】
ステップＳ４０１において、端末装置１は、ユーザの操作に基づき、映像表示装置３のリモート制御を行うためのアプリケーションソフトウェア（以降、「操作アプリ」）の起動を待つ。【００３６】
図５は、端末装置１のタッチパネル式の表示部２２の各種表示例である。図５（ａ）は、端末装置１に各種アプリケーションソフトウェアが並んだメニュー画面を示しており、タッチパネルに表示された「テレビ」ボタンがユーザによって押されると操作アプリが起動する。【００３７】
ステップＳ４０２において、ユーザの操作に基づいて、端末装置１はリモート制御の対象とする映像表示装置３を選択する。図５（ｂ）は、リモート制御の対象として選択可能な映像表示装置３が２台ある場合の選択画面の表示例である。ここでは、「テレビＡ」が選択されるものとする。【００３８】
リモート制御の対象となる映像表示装置３を選択すると、端末装置１は映像表示装置３に対して送信可能な各種指示を表示する。図５（ｃ）は、その際の映像表示装置３の操作画面の表示例である。【００３９】
次に、ステップＳ４０３において、端末装置１はユーザが操作アプリを終了するための操作をしたかどうかを確認する。ユーザが操作アプリを終了するための操作をした場合、端末装置１はメニュー画面を表示する工程に戻る。【００４０】
ステップＳ４０４において、端末装置１はユーザが電源ボタンを押したかどうかを確認する。ユーザが端末装置１に表示された電源ボタンを押した場合、端末装置１は、映像表示装置３に電源コマンドを送信し（ステップＳ４０５）、ステップＳ４０６において、端末装置１の記憶部２６に記憶されたチャンネルや音量などの各種設定値を映像表示装置３に設定コマンドとして送信し、ステップＳ４０３からの工程を繰り返す。【００４１】
尚、端末装置１は、電源コマンドまたは設定コマンドを送信する際には端末装置１の識別コードを送信する。【００４２】
端末装置１は、電源コマンドを送信した後に記憶部２６に記憶されたチャンネルや各種設定値を含む設定コマンドを映像表示装置３に送信することにより、端末装置１の設定値通りに映像表示装置３を設定することができる。【００４３】
ユーザが端末装置１に表示された電源ボタンを押していない場合、ステップＳ４０７において、端末装置１はユーザが電源オンオフ以外の設定変更を指示したかどうかを確認する。電源オンオフ以外の設定変更とは、例えばチャンネルや音量の切り換え、あるいは画質調整などである。【００４４】
ユーザが映像表示装置３の設定変更を指示した場合、端末装置１は、映像表示装置３に該当する設定コマンドを送信し（ステップＳ４０８）、ステップＳ４０９において、端末装置１の記憶部２６に設定値を記憶する。【００４５】
例えば、チャンネル１ボタンが押された場合は、チャンネル１への切り替えを指示する設定コマンドが映像表示装置３に送信され、記憶部２６にはチャンネル１が記憶される。その次にチャンネル＋ボタンが押された場合は、チャンネルの加算を指示する設定コマンドあるいはチャンネル２への切り替えを指示する設定コマンドが映像表示装置３に送信され、記憶部２６にはチャンネル２が記憶される。このように、設定コマンドがチャンネル＋やチャンネル−のように相対値を指定するものである場合は、チャンネル２のような絶対値に置き換えて最終値のみ記憶部２６に記憶しておく。【００４６】
次に、端末装置１は、ステップＳ４１０において、映像表示装置３から送られたステータス情報を受信し、ステータス情報に対応した表示すべき情報があれば端末装置１の表示部２２に表示して、ステップＳ４０３からの工程を繰り返す。設定コマンドを送信する際には端末装置１の識別コードも送信される。図５（ｄ）はステータス情報の表示例である。【００４７】
ステップＳ４０７において、ユーザが映像表示装置３の設定変更を指示していない場合、端末装置１はステップＳ４０３からの工程を繰り返す。【００４８】
図６は、第１の実施例の映像表示装置３の動作を示すフローチャートである。【００４９】
ステップＳ６０１において、映像表示装置３は電源コマンドの受信を待つ。電源コマンドを受信したら、映像表示装置３は電源を入れると共に（ステップＳ６０２）、端末装置１から送信された各種設定値を反映する。そして、ステップＳ６０３において、映像表示装置３は、電源コマンドを送信した端末装置１が何れであるかを示す情報、即ち、電源コマンドに付随して送信された識別コードを記憶部３６に記憶しておく。ここでは端末装置１ａが電源コマンドを送信したものとする。【００５０】
次に、ステップＳ６０４において、映像表示装置３は再び電源コマンドを受信したかどうかを確認する。電源コマンドを受信した場合、映像表示装置３は電源を切る（ステップＳ６０５）。電源コマンドを受信していない場合、ステップＳ６０６において、映像表示装置３は第１のコマンドを受信したかどうかを確認する。第１のコマンドとは、例えば、チャンネルの切り替えや入力切り換えを指示する設定コマンドである。第１のコマンドを受信した場合、映像表示装置３は、特定の端末装置１、即ち、電源のオンを指示した端末装置１からの設定コマンドかどうかを確認する（ステップＳ６０７）。電源のオンを指示した端末装置１からの設定コマンドの場合、映像表示装置３は、指示通りコマンド実行し（ステップＳ６０８）、ステップＳ６０４からの工程を繰り返す。【００５１】
ステップＳ６０７において、電源のオンを指示した端末装置１による設定コマンドでない場合、映像表示装置３は、チャンネル等を変更する権限がないことを示すステータス情報を該当する端末装置１に送った後（ステップＳ６０９）、ステップＳ６０４からの工程を繰り返す。例えば、端末装置１ｂから第１のコマンドを受信した場合、このコマンドに基づく処理を行うことができない旨のステータス情報を端末装置１ｂに送信し、端末装置１ｂは当該コマンドの実行権限がないことを表示部２２に表示する。図５（ｄ）は、チャンネルを変更する権限がないことを表示した例である。【００５２】
ステップＳ６０６において、第１のコマンドを受信していない場合、映像表示装置３は、第２のコマンドを受信したかどうかを確認する（ステップＳ６１０）。第２のコマンドとは、例えば、第１のコマンド以外の設定コマンドであり、音量の指定、画質の調整、映像モードの切り換え、音声モードの切り換え、明るさの調整、コントラストの調整、などを指示する設定コマンドである。【００５３】
尚、第１のコマンドをチャンネルの選択や入力切り換えの他、音量の指定、画質の調整、映像モードの切り換え、音声モードの切り換え、明るさの調整、コントラストの調整、などを指示する設定コマンドとし、第２のコマンドを視聴の予約や録画の予約、などを指示する設定コマンドとしてもよい。【００５４】
更に、利便性の向上を図るべく、第１のコマンドと第２のコマンドをユーザが指定（変更）できるようにしてもよい。【００５５】
第２のコマンドを受信した場合、映像表示装置３は、指示通りコマンド実行した後（ステップＳ６１１）、ステップＳ６０４からの工程を繰り返す。ステップＳ６１０において、第２のコマンドを受信していない場合、映像表示装置３は、ステップＳ６０４からの工程を繰り返す。【００５６】
これにより、映像表示装置３の第１のコマンドに関する処理の実行は、映像表示装置３の電源を入れた端末装置１ａから指示された場合のみ可能になり、第２のコマンドに関する処理の実行は端末装置１ａの他、端末装置１ｂから指示された場合も可能になる。【００５７】
なお、電源のオンを指示した端末装置１にのみ、映像表示装置３の電源を切る権限を与えてもよい。【００５８】
以上の構成により本発明の第１の実施例では、端末装置１は、映像表示装置３に送ったチャンネルや音量などの設定を記憶しておき、電源コマンドを送信すると共に、記憶している設定値を映像表示装置３に送信する。これにより、ユーザが端末装置１を介して映像表示装置３の電源を入れるだけで、映像表示装置３は前回視聴していたチャンネルや音量に設定される。【００５９】
各種の設定値は各端末装置１に記憶されるため、複数のユーザが各自の端末装置１に映像表示装置３の設定値を記憶することができ、自分の端末装置１を使って映像表示装置３の電源を入れると、映像表示装置３をユーザが前回視聴した設定にすることができる。更に、或る映像表示装置３で視聴していた設定を別の映像表示装置３に反映させることができる。【００６０】
更に、映像表示装置の第１のコマンドの実行権限は、その映像表示装置３の電源を入れた端末装置１ａにのみ与え、第２のコマンドの実行権限は全ての端末装置１ａ〜１ｂに与えることができる。例えば第１のコマンドがチャンネルの切り替えを指示する設定コマンドを適用した場合、その映像表示装置３の電源のオンを指示した端末装置１ａのみがチャンネルを選択することができる。その結果、一のユーザが行っている映像コンテンツの視聴を、他のユーザが干渉してしまうことを防ぐことができる。
【実施例２】
【００６１】
次に、本発明の第２の実施例について説明する。なお、本実施例における構成および効果等は、特に断りのない限り、第１の実施例と同じである。このため、以下では本実施例と第１の実施例との相違点を主に説明し、説明の重複を避けるため、共通点の説明は極力省略する。【００６２】
図７は、本実施例の映像表示装置３の動作を示すフローチャートである。【００６３】
ステップＳ７０１において、映像表示装置３は電源コマンドの受信を待つ。電源コマンドを受信したら、映像表示装置３は電源を入れる（ステップＳ７０２）。そして、ステップＳ７０３において、映像表示装置３は、電源コマンドを送信した端末装置１の優先順位を最上位に設定する。ここでは端末装置１ａが電源コマンドを送信したものとする。【００６４】
次に、ステップＳ７０４において、映像表示装置３は再び電源コマンドを受信したかどうかを確認する。電源コマンドを受信した場合、映像表示装置３は電源を切る（ステップＳ７０５）。電源コマンドを受信していない場合、ステップＳ７０６において、映像表示装置３は第１のコマンドを受信したかどうかを確認する。第１のコマンドとは、第１の実施例と同様に、チャンネルの切り替えや入力切り換えを指示する設定コマンドである。第１のコマンドを受信した場合、映像表示装置３は、コマンドを送信した端末装置１の優先順位が最上位であるかどうかを確認する（ステップＳ７０７）。優先順位が最上位である場合、映像表示装置３は、コンテンツを１つ視聴したかどうか、言い換えると、１単位の映像コンテンツの再生が完了したか否かを確認する（ステップＳ７０８）。視聴した場合は、映像表示装置３は、ステップＳ７０９にて当該端末装置１の優先順位を最下位に変更する。この場合、優先順位が２位以下の端末装置１の優先順位が繰り上がる。尚、優先順位の変更は、映像表示装置３の記憶部３６に各端末装置１の新たな優先順位を記憶させることにより実現される。【００６５】
次に、ステップＳ７１０において、映像表示装置３は指示通りにコマンドを実行し、ステップＳ７０４からの工程を繰り返す。【００６６】
例えば、ユーザが端末装置１ａを用いてコンテンツを１つ視聴した場合、端末装置１ａの優先順位は最下位となり、次に端末装置１ｂから第１のコマンドが送信されたら、端末装置１ｂの優先順位が最上位であるので、指示通りコマンド実行が行われる。この時、端末装置１ａは第１のコマンド実行の権利がなくなる。しかし、端末装置１ａの優先順位が最下位になっても、他の端末装置、例えば、端末装置１ｂから第１のコマンドが送信されるまでは、その優先順位を上回るものがないため最上位としても扱い、第１のコマンドの実行が許可される。【００６７】
ステップＳ７０７において、当該端末装置１の優先順位が最上位でない場合、映像表示装置３は、実行権限なしとのステータス情報を該当する端末装置１に送る（ステップＳ７１１）。例えば端末装置１ｂが第１のコマンドを送信した場合、このステータス情報は端末装置１ｂに送られ、端末装置１ｂは当該コマンドの実行権限がないことを表示部２２に表示する。【００６８】
ステップＳ７０６において、映像表示装置３が第１のコマンドを受信していない場合、映像表示装置３は、第２のコマンドを受信したかどうかを確認する（ステップＳ７１２）。第２のコマンドとは、第１の実施例と同様に、第１のコマンド以外の設定コマンドである。【００６９】
第２のコマンドを受信した場合、映像表示装置３は、指示通りコマンド実行した後（ステップＳ７１３）、ステップＳ７０４からの工程を繰り返す。ステップＳ７１２において、第２のコマンドを受信していない場合、映像表示装置３はステップＳ７０４からの工程を繰り返す。【００７０】
これにより、第１のコマンド実行について、まず映像表示装置３の電源を入れた端末装置１ａに最上位の優先順位を与え、コンテンツを１つ視聴したら最下位の優先順位とすることで、端末装置１ｂに第１のコマンドの実行権限が移動する。第２のコマンド実行は端末装置１ａ、端末装置１ｂから可能である。【００７１】
以上の構成により本発明の第２の実施例では、第１の実施例と同様の効果を得ることができる。【００７２】
更に、映像表示装置３の第１のコマンドの実行権限は、その映像表示装置３の電源を入れた端末装置１に最初に与え、コンテンツを１つ視聴する度に別の端末装置１に実行権限が移動するため、例えば、使用する端末装置１をユーザ間で貸し借りすることなく、全ての端末装置１に実行権限を順に与えることができる。例えば第１のコマンドがチャンネルの切り替えを指示する設定コマンドである時、その映像表示装置３の電源オンを指示した端末装置１が最初にチャンネルを選択することができ、少なくともコンテンツを１つ視聴することができる。【００７３】
なお、第１のコマンドの実行権限が移る契機としては、１単位の映像コンテンツの再生の終了に限るものではなく、複数単位の映像コンテンツの再生の終了でもよい。また、第１のコマンドの実行権限が変わる契機となる映像コンテンツの視聴数を、ユーザの操作に基づいて変更可能にしても良い。
【実施例３】
【００７４】
次に、本発明の第３の実施例について説明する。なお、本実施例における構成および効果等も、特に断りのない限り、第１の実施例と同じであるため、以下では本実施例と第１の実施例との相違点を主に説明する。【００７５】
図８は、本実施例の映像表示装置３の動作を示すフローチャートである。【００７６】
また、ステップＳ８０１〜ステップＳ８０６については図７のステップＳ７０１〜ステップＳ７０６と同様であるため説明を省略する。【００７７】
ステップＳ８０７において、当該端末装置１の優先順位が最上位である場合、映像表示装置３は、ユーザによる映像コンテンツの視聴が予め定めた時間に達したかどうかを確認する（ステップＳ８０８）。視聴した場合、映像表示装置３は、ステップＳ８０９にて当該端末装置１の優先順位を最下位に変更し、視聴していない場合は優先順位を変更しない。【００７８】
例えば、ユーザが端末装置１ａを用いて予め定めた時間、映像コンテンツを視聴した場合、端末装置１ａの優先順位は最下位となり、次に端末装置１ｂから第１のコマンドが送信されたら、端末装置１ｂの優先順位が最上位であるので、当該コマンドの実行が許可される。この時、端末装置１ａは第１のコマンド実行の権利がなくなる。しかし、端末装置１ａの優先順位が最下位になっても、他の端末装置、例えば、端末装置１ｂからチャンネル変更コマンドが送信されるまでは、その優先順位を上回るものがないため最上位としても扱い、第１のコマンドの実行が許可される。【００７９】
ステップＳ８１１〜ステップＳ８１３については図７のステップＳ７１１〜ステップＳ７１３と同様であるため説明を省略する。【００８０】
これにより、第１のコマンド実行について、まず映像表示装置３の電源を入れた端末装置１ａに最上位の優先順位を与え、予め定めた時間ユーザが視聴したら最下位の優先順位とすることで、端末装置１ｂに第１のコマンドの実行権限が移動する。第２のコマンド実行は端末装置１ａ、端末装置１ｂから可能である。【００８１】
以上の構成により本発明の第３の実施例では、第１の実施例と同様の効果を得ることができる。【００８２】
更に、映像表示装置３の第１のコマンドの実行権限は、その映像表示装置３の電源を入れた端末装置１に最初に与え、予め定めた時間ユーザが視聴する度に別の端末装置１に実行権限が移動するため、全ての端末装置１に実行権限を順に与えることができる。例えば第１のコマンドがチャンネルの切り替えを指示する設定コマンドである時、その映像表示装置３の電源オンを指示した端末装置１が最初にチャンネルを選択することができ、少なくとも予め定めた時間視聴することができる。【００８３】
なお、第１のコマンドの実行権限が変わる契機となる映像コンテンツの視聴時間を、ユーザの操作に基づいて変更可能にしても良い。
【実施例４】
【００８４】
次に、本発明の第４の実施例について説明する。なお、本実施例における構成および効果等も、特に断りのない限り、第１の実施例と同じであるため、以下では本実施例と第１の実施例との相違点を主に説明する。【００８５】
図９は、本実施例の映像表示装置３の動作を示すフローチャートである。【００８６】
また、ステップＳ９０１〜ステップＳ９０５については図７のステップＳ７０１〜ステップＳ７０５と同様であるため説明を省略する。尚、本実施例においても端末装置１ａが電源コマンドを送信したものとする。【００８７】
ステップＳ９０６において、映像表示装置３は第１のコマンドを受信したかどうかを確認する。第１のコマンドを受信した場合、映像表示装置３は、当該時間帯の優先順位を確認し（ステップＳ９０７）、コマンドを送信した端末装置１の優先順位が最上位であるかどうかを確認する（ステップＳ９０８）。優先順位が最上位である場合、映像表示装置３は、指示通りにコマンドを実行する。【００８８】
ステップＳ９０８において、優先順位が最上位でない場合、映像表示装置３は、実行権限なしとのステータス情報を該当する端末装置１に送る（ステップＳ９１１）。例えば端末装置１ｂが第１のコマンドを送信した場合、このステータス情報は端末装置１ｂに送られ、端末装置１ｂは当該コマンドの実行権限がないことを表示部２２に表示する。【００８９】
各端末装置１の優先順位は、時間帯や曜日によって変えることができる。例えば、端末装置１ｂの優先順位を１８：００〜２１：００の時間内のみ端末装置１ａより上げることや（図１０（ａ）参照）、日曜日のみ優先順位を上げることができる（図１０（ｂ）参照）。【００９０】
逆に各端末装置１の優先順位を固定することもできる。また、これらを組み合わせることもできる。【００９１】
ステップＳ９１２〜ステップＳ９１３については図７のステップＳ７１２〜ステップＳ７１３と同様であるため説明を省略する。【００９２】
これにより、第１のコマンド実行について、まず映像表示装置３の電源を入れた端末装置１に最上位の優先順位を与え、更に時間帯や曜日により別の端末装置１との優先順位を変えることができる。【００９３】
以上の構成により本発明の第４の実施例では、第１の実施例と同様の効果を得ることができる。【００９４】
更に、映像表示装置３の第１のコマンドの実行権限は、その映像表示装置３の電源を入れた端末装置１に最初に与え、時間帯や曜日により別の端末装置１に実行権限が移動するため、全ての端末装置１にコマンドの実行権限を順に与えることができる。例えば第１のコマンドがチャンネルの切り替えを指示する設定コマンドである時、その映像表示装置３の電源オンを指示した端末装置１が最初にチャンネルを選択することができ、時間帯や曜日により別の端末装置１にチャンネルの選択権限を移動させることができる。
【実施例５】
【００９５】
次に、本発明の第５の実施例について説明する。なお、本実施例における構成および効果等も、特に断りのない限り、第１の実施例と同じであるため、以下では本実施例と第１の実施例との相違点を主に説明する。【００９６】
図１１は、本実施例の映像表示装置３の動作を示すフローチャートである。【００９７】
ステップＳ１１０１〜ステップＳ１１０３については図６のステップＳ６０１〜ステップＳ６０３と同様であるため説明を省略する。【００９８】
ステップＳ１１０４において、当該端末装置１の操作に関連して録画した映像コンテンツ（以降、「録画コンテンツ」）がある場合、映像表示装置３は、録画コンテンツがあることを端末装置１に伝える。録画コンテンツについては後述する。図１２（ａ）は、この時の端末装置１の画面の表示例である。【００９９】
次に、ステップＳ１１０７において、映像表示装置３は、端末装置１からの再生コマンドを受信したら、録画コンテンツを再生する。尚、再生コマンドは、録画コンテンツの再生を指示するものであり、設定コマンドに含まれる概念、または、これに類似する概念である。【０１００】
ステップＳ１１０８〜ステップＳ１１１０については図６のステップＳ６０４〜ステップＳ６０６と同様であるため説明を省略する。【０１０１】
ステップＳ１１１１において、受信した第１のコマンドが、電源を入れた時の端末装置１から送信されたものである場合、映像表示装置３は、指示通りコマンド実行した後（ステップＳ１１１２）、ステップＳ１１０８からの工程を繰り返す。【０１０２】
受信した第１のコマンドが、電源を入れた時の端末装置１によるコマンドでない場合、映像表示装置３は、指示されたチャンネルの映像コンテンツを録画する。録画コンテンツは、例えば図３の記憶部３６に格納される。図１２（ｂ）は、この時の端末装置１の画面の表示例である。【０１０３】
次に、映像表示装置３は、ステップＳ１１１４において、録画を開始したとのステータス情報を該当する端末装置１に送る。例えば、端末装置１ａが映像表示装置３の電源を入れ、端末装置１ｂが第１のコマンドを送信した場合、このステータス情報は端末装置１ｂに送られ、端末装置１ｂは、チャンネルを変更する権限がない旨と、録画を開始したことを表示部２２に表示する。【０１０４】
ステップＳ１１１５〜ステップＳ１１１６については図６のステップＳ６１０〜ステップＳ６１１と同様であるため説明を省略する。【０１０５】
これにより、映像表示装置３の第１のコマンド実行は、映像表示装置３の電源を入れた端末装置１ａからのみ可能であり、端末装置１ｂが第１のコマンドを送信した場合は当該コンテンツの録画を行う。そして、端末装置１ｂが映像表示装置３の電源を入れた時に、録画コンテンツを再生することができる。【０１０６】
なお、ステップＳ１１１３におけるコンテンツの録画は、予め録画モードを設定してある場合にのみ実施するようにしてもよい。コンテンツを録画したい場合は予め録画モードを設定しておき、録画したくない場合は録画モードを設定しておかない。【０１０７】
以上の構成により本発明の第５の実施例では、第１の実施例と同様の効果を得ることができる。【０１０８】
更に、映像表示装置３の第１のコマンドの実行権限は、その映像表示装置３の電源を入れた端末装置１に与え、別の端末装置１から第１のコマンドが送信された場合は、コンテンツを録画する。例えば第１のコマンドがチャンネルの切り替えを指示する設定コマンドである時、その映像表示装置３の電源を入れた端末装置１がチャンネルを選択することができ、別の端末装置１が選択したチャンネルの該当コンテンツは、即座に視聴することができなくても、録画して後で視聴することができる。
【実施例６】
【０１０９】
次に、本発明の第６の実施例について説明する。なお、本実施例における構成および効果等も、特に断りのない限り、第１の実施例と同じであるため、以下では本実施例と第１の実施例との相違点を主に説明する。【０１１０】
図１３は、本実施例の端末装置１の動作を示すフローチャートである。【０１１１】
ステップＳ１３０１〜ステップＳ１３１０については図４のステップＳ４０１〜ステップＳ４１０と同様であるため説明を省略する。【０１１２】
ステップＳ１３１１において、端末装置１は、緊急災害情報を受信したら、通常モードから緊急モードに切り換える。緊急災害情報とは、災害の発生などの緊急事態を知らせる情報であり、緊急地震速報などが適用される。【０１１３】
緊急モードの端末装置１は、表示画面に緊急災害情報の内容を表示すると共に、映像表示装置３に、端末装置１固有の識別コードの代わりに、またはこれに付加して、緊急コードをコマンドと共に送信する。【０１１４】
これにより、緊急災害情報を受信した端末装置１は緊急モードに切り換わり、映像表示装置３を操作する際に緊急コードを付加して、映像表示装置３を緊急モードに切り換える。【０１１５】
図１４は、第６の実施例の映像表示装置３の動作を示すフローチャートである。【０１１６】
ステップＳ１４０１〜ステップＳ１４１１については図６のステップＳ６０１〜ステップＳ６１１と同様であるため説明を省略する。【０１１７】
ステップＳ１４１２において、映像表示装置３は緊急コードを受信したかどうかを確認する。緊急コードを受信した場合、映像表示装置３は緊急モードに切り換えて、指示通りコマンド実行した後（ステップＳ１４０８）、ステップＳ１４０４からの工程を繰り返す。【０１１８】
これにより、緊急モードでは全ての端末装置１から第１のコマンドの実行が可能になる。【０１１９】
なお、緊急災害情報としては緊急地震速報の他に、緊急雷速報、緊急火災速報、緊急津波速報、緊急台風速報、緊急大雨速報、緊急河川氾濫速報、緊急噴火速報等を適用してもよい。また、緊急モードでは映像表示装置３が自ら緊急地震情報を受信してもよい。【０１２０】
以上の構成により本発明の第６の実施例では、第１の実施例と同様の効果を得ることができる。【０１２１】
更に、緊急災害情報の受信時には、全ての端末装置１から第１のコマンドの実行が可能になる。例えば第１のコマンドがチャンネルの切り替えを指示する設定コマンドである時、緊急災害情報の受信時には、全ての端末装置１からチャンネル選択が可能になる。【０１２２】
尚、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【０１２３】
また、上記の各構成、機能、処理部、処理手段等は、それらの一部又は全部を、例えば集積回路で設計する等によりハードウェアで実現しても良い。また、上記の各構成、機能等は、プロセッサがそれぞれの機能を実現するプログラムを解釈し、実行することによりソフトウェアで実現しても良い。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード等の記録媒体に置くことができる。【０１２４】
また、制御線や情報線は説明上必要と考えられるものを示しており、製品上必ずしも全ての制御線や情報線を示しているとは限らない。実際には殆ど全ての構成が相互に接続されていると考えても良い。
【符号の説明】
【０１２５】
１…端末装置、３…映像表示装置、４…基地局、５…放送局、６…無線ルータ、７…ネットワーク、２１…無線通信部、２２…表示部、２３…操作部、２４…コマンド送信部、２５…ステータス受信部、２６…記憶部、３０…制御部、３１…テレビ信号受信部、３２…表示部、３３…音声出力部、３４…コマンド受信部、３５…ステータス送信部、３６…記憶部、３７…ＬＡＮ送受信部
【図１】
2014041672.tif 000003
【図２】
2014041672.tif 000004
【図３】
2014041672.tif 000005
【図４】
2014041672.tif 000006
【図５（ａ）】
2014041672.tif 000007
【図５（ｂ）】
2014041672.tif 000008
【図５（ｃ）】
2014041672.tif 000009
【図５（ｄ）】
2014041672.tif 000010
【図６】
2014041672.tif 000011
【図７】
2014041672.tif 000012
【図８】
2014041672.tif 000013
【図９】
2014041672.tif 000014
【図１０（ａ）】
2014041672.tif 000015
【図１０（ｂ）】
2014041672.tif 000016
【図１１】
2014041672.tif 000017
【図１２（ａ）】
2014041672.tif 000018
【図１２（ｂ）】
2014041672.tif 000019
【図１３】
2014041672.tif 000020
【図１４】
2014041672.tif 000021
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
映像コンテンツを表示する表示部と、
端末装置により送信されたコマンドを受信する受信部と、
前記受信部により受信されたコマンドに応じた処理を実行する制御部と、を備え、
前記制御部は、
特定の端末装置からの第１のコマンドを受信した際には当該第１のコマンドに応じた処理を実行する一方、他の端末装置からの第１のコマンドを受信した際には当該第１のコマンドに応じた処理を実行せず、
前記特定の端末装置からの第２のコマンドを受信した際、あるいは、前記他の端末装置からの第２のコマンドを受信した際、当該第２のコマンドに応じた処理を実行するとともに、
前記特定の端末装置からの第１のコマンドを受信して所定数の映像コンテンツを表示した後に前記他の端末装置からの第１のコマンドを受信したら、当該第１のコマンドに応じた処理を実行すること、を特徴とする映像表示装置。
【請求項２】
請求項１に記載の映像表示装置において、
前記制御部は、
前記特定の端末装置からの第１のコマンドを受信して所定の時間映像コンテンツを表示した後に前記他の端末装置からの第１のコマンドを受信したら、当該第１のコマンドに応じた処理を実行すること、を特徴とする映像表示装置。
【請求項３】
映像コンテンツを表示する表示部と、
端末装置により送信されたコマンドを受信する受信部と、
前記端末装置の中で特定の端末装置と他の端末装置との間の優先順位を時間毎または曜日毎に記憶する記憶部と、
前記受信部により受信されたコマンドに応じた処理を実行する制御部と、を備え、
前記制御部は、
前記特定の端末装置からの第１のコマンドを受信した際には当該第１のコマンドに応じた処理を実行する一方、前記他の端末装置からの第１のコマンドを受信した際には当該第１のコマンドに応じた処理を実行せず、
前記特定の端末装置からの第２のコマンドを受信した際、あるいは、前記他の端末装置からの第２のコマンドを受信した際、当該第２のコマンドに応じた処理を実行するとともに、
前記記憶部により記憶された優先順位に基づき、前記特定の端末装置からの第１のコマンドに応じた処理を実行するか否かを決定すること、を特徴とする映像表示装置。
【請求項４】
映像コンテンツを表示する表示部と、
端末装置により送信されたコマンドを受信する受信部と、
前記受信部により受信されたコマンドに応じた処理を実行する制御部と、を備え、
前記制御部は、
特定の端末装置からの第１のコマンドを受信した際には当該第１のコマンドに応じた処理を実行する一方、他の端末装置からの第１のコマンドを受信した際には当該第１のコマンドに応じた処理を実行せず、
前記特定の端末装置からの第２のコマンドを受信した際、あるいは、前記他の端末装置からの第２のコマンドを受信した際、当該第２のコマンドに応じた処理を実行するとともに、
前記他の端末装置からの第１のコマンドを受信した際には、所定の映像コンテンツを記録媒体に記録すること、を特徴とする映像表示装置。
【請求項５】
請求項４に記載の映像表示装置において、
前記制御部は、
録画モードが設定されている間に前記他の端末装置からの第１のコマンドを受信した際には、前記所定の映像コンテンツを記録媒体に記録すること、を特徴とする映像表示装置。
【請求項６】
映像コンテンツを表示する表示部と、
端末装置により送信されたコマンドを受信する受信部と、
前記受信部により受信されたコマンドに応じた処理を実行する制御部と、を備え、
前記制御部は、
特定の端末装置からの第１のコマンドを受信した際には当該第１のコマンドに応じた処理を実行する一方、他の端末装置からの第１のコマンドを受信した際には当該第１のコマンドに応じた処理を実行せず、
前記特定の端末装置からの第２のコマンドを受信した際、あるいは、前記他の端末装置からの第２のコマンドを受信した際、当該第２のコマンドに応じた処理を実行するとともに、
通常モードにおいて前記他の端末装置からの第１のコマンドを受信した際には、当該第１のコマンドに応じた処理を実行しない一方、
緊急モードにおいて前記他の端末装置からの第１のコマンドを受信した際には、当該第１のコマンドに応じた処理を実行すること、を特徴とする映像表示装置。
【請求項７】
請求項６に記載の映像表示装置において、
緊急災害に関する情報を受信した場合に緊急モードに移行すること、を特徴とする映像表示装置。
【請求項８】
請求項１，３，４および６の何れかに記載の映像表示装置において、
前記特定の端末装置は、電源に関するコマンドを送信した端末装置であること、を特徴とする映像表示装置。
【請求項９】
請求項１〜８の何れかに記載の映像表示装置において、
ユーザの操作に基づいて、特定のコマンドを前記第１のコマンドとするか前記第２のコマンドとするかを指定する指定部を備えること、を特徴とする映像表示装置。
【請求項１０】
請求項１〜８の何れかに記載の映像表示装置において、
前記第１のコマンドはチャンネルの切り替えに関するコマンドであること、を特徴とする映像表示装置。
【請求項１１】
請求項１〜８の何れかに記載の映像表示装置において、
前記第２のコマンドは視聴の予約あるいは録画の予約に関するコマンドであること、を特徴とする映像表示装置。
【国際調査報告】
2014041672.tif 000022
2014041672.tif 000023
2014041672.tif 000024
2014041672.tif 000025
2014041672.tif 000026
2014041672.tif 000027